(57)【要約】【課題】主に各種電子機器の操作に用いられるリモコン送信機に関し、誤操作がなく、簡易で確実な操作が可能なものを提供することを目的とする。【解決手段】制御手段１５が静電タッチパネル１２の直線または曲線状の接触操作に応じて、送信手段８からリモコン信号を送信することによって、押圧操作が不要となり、静電タッチパネル１２を所定の軌跡で接触操作するだけで機器の遠隔操作が行えるため、誤操作が生じづらく、簡易で確実な操作が可能なリモコン送信機を得ることができる。【選択図】図１
2009218985.tif 000002
【特許請求の範囲】
【請求項１】
ケース上面に装着された静電タッチパネルと、この静電タッチパネルに接続された制御手段からなり、上記制御手段が上記静電タッチパネルの直線または曲線状の接触操作に応じて、送信手段からリモコン信号を送信するリモコン送信機。
【発明の詳細な説明】
【技術分野】
【０００１】
本発明は、主に各種電子機器の遠隔操作に用いられるリモコン送信機に関するものである。
【背景技術】
【０００２】
近年、テレビやビデオ、エアコン等の各種電子機器の高機能化が進むなか、これらを遠隔操作するリモコン送信機においても、多様で確実な操作を行えるものが求められている。
【０００３】
このような従来のリモコン送信機について、図５〜図８を用いて説明する。
【０００４】
なお、これらの図面のうち断面図は、構成を判り易くするために厚さ方向の寸法を拡大して表している。
【０００５】
図７は従来のリモコン送信機の断面図、図８は同斜視図であり、同図において、１は略箱状で絶縁樹脂製のケース、２は静電タッチパネルで、ケース１上面の開口孔に静電タッチパネル２が装着されている。
【０００６】
そして、この静電タッチパネル２は、フィルム状のシートの上面または上下面に略帯状の複数の導電部（図示せず）が、所定の間隙を空けて直交方向に配列されて形成されている。
【０００７】
また、３は絶縁樹脂製の上覆体、４は同じく下覆体で、この上覆体３と下覆体４の間に静電タッチパネル２が収納されると共に、静電タッチパネル２の複数の導電部の端部に接続された電極部（図示せず）が形成されたテール部２Ａが、下覆体４の下面から右外方へ延出している。
【０００８】
さらに、５は上下面に複数の配線パターン（図示せず）が形成された配線基板で、この上面にはプッシュスイッチ等のスイッチ接点６が実装され、スイッチ接点６上面から突出した押釦６Ａに下覆体４の下面が当接すると共に、静電タッチパネル２がテール部２Ａやコネクタ等を介して、配線基板５の配線パターンに電気的に接続されている。
【０００９】
そして、７は下方に略ドーム状の薄肉部が形成されたゴム等の操作体で、上面が上ケース１上面の貫通孔から上下動可能に突出すると共に、下面には配線基板５上面に形成された複数の固定接点５Ａと、所定の間隙を空けて対向する可動接点７Ａが設けられている。
【００１０】
また、配線基板５の上下面には、発光ダイオード等のリモコン信号を送信する送信手段８や、配線パターンを介して送信手段８や静電タッチパネル２、スイッチ接点６、複数の固定接点５Ａに接続されたマイコン等の制御手段９が形成されると共に、ケース１下面を絶縁樹脂製のカバー１０が覆って、リモコン送信機が構成されている。
【００１１】
以上の構成において、リモコン送信機を操作する電子機器に向けて、指で所定の操作体７の上面を押圧操作すると、略ドーム状の薄肉部が弾性変形して操作体７が下方へ移動し、この下面の可動接点７Ａが複数の固定接点５Ａに接触して、可動接点７Ａを介して複数の固定接点５Ａの電気的接離が行われ、この電気的接離に応じて制御手段９が、送信手段８から赤外線のリモコン信号を電子機器へ送信し、例えば、テレビの電源の入／切や選局の切換え等が遠隔操作によって行われる。
【００１２】
また、図５の正面図に示すように、遠隔操作する電子機器３０の表示画面３１に、例えば、遠隔操作する機器のメニュー等が表示された状態で、上覆体３上面に指を触れ、指をなぞるように前後左右に移動して接触操作すると、この指に静電タッチパネル２の電荷の一部が導電し、操作した箇所の導電部の容量が変化するため、これによって静電タッチパネル２のどの箇所が接触操作されたかを制御手段９が検出する。
【００１３】
そして、この指の移動に応じたリモコン信号を、制御手段９が送信手段８から機器へ送信し、例えば、表示画面３１に表示されたポインタ３２等が、指の移動した上下方向や左右方向へ移動して、機器のメニュー等の選択が行われる。
【００１４】
さらに、ポインタ３２等が所望の機器のメニュー上に位置した状態で、上覆体３上面を押圧操作すると、静電タッチパネル２や下覆体４が下方へ移動し、下覆体４の下面がスイッチ接点６の押釦６Ａを押圧操作して、スイッチ接点６の電気的接離が行われ、これを制御手段９が検出して送信手段８からリモコン信号を送信し、例えば、図６の正面図に示すような、次の機器の操作メニュー等が表示される。
【００１５】
そして、この状態で再び上覆体３上面を指で前後左右に接触操作すると、この指の移動に応じたリモコン信号を制御手段９が機器へ送信し、例えば、表示画面３１に表示されたカーソル３３等が上下方向や左右方向へ移動して、操作メニュー等の選択が行われ、この状態で再び押圧操作すると、スイッチ接点６の電気的接離が行われてリモコン信号が送信され、例えば、ビデオテープやディスク等の再生や早送り等が行われる。
【００１６】
つまり、複数の操作体７の押圧操作によって、電源や選局といった機器の各機能の遠隔操作を行うと共に、静電タッチパネル２の接触操作と押圧操作を繰返すことによって、表示画面３１に表示された機器や操作メニュー等を順次切換え、都度これらの選択や確定を行って、機器を遠隔操作するように構成されているものであった。
【００１７】
なお、この出願の発明に関連する先行技術文献情報としては、例えば、特許文献１が知られている。
【特許文献１】特開２００７−１４１２６９号公報
【発明の開示】
【発明が解決しようとする課題】
【００１８】
しかしながら、上記従来のリモコン送信機においては、再生や早送りといった機器の操作メニュー等の操作を行う際、先ず、静電タッチパネル２に触れた指を移動し、接触操作によって操作メニュー等の選択を行った後、静電タッチパネル２を押圧操作して機器の遠隔操作を行っているため、操作が煩雑で、誤操作も生じてしまい易いという課題があった。
【００１９】
本発明は、このような従来の課題を解決するものであり、誤操作がなく、簡易で確実な操作が可能なリモコン送信機を提供することを目的とする。
【課題を解決するための手段】
【００２０】
上記目的を達成するために本発明は、制御手段が静電タッチパネルの直線または曲線状の接触操作に応じて、送信手段からリモコン信号を送信するようにしてリモコン送信機を構成したものであり、静電タッチパネルを直線または曲線状の所定の軌跡で接触操作するだけで、制御手段がこれに応じたリモコン信号を送信して機器の遠隔操作が行えるため、押圧操作が不要となり、誤操作が生じづらく、簡易で確実な操作が可能なリモコン送信機を得ることができるという作用を有するものである。
【発明の効果】
【００２１】
以上のように本発明によれば、誤操作がなく、簡易で確実な操作が可能なリモコン送信機を実現できるという有利な効果が得られる。
【発明を実施するための最良の形態】
【００２２】
以下、本発明の実施の形態について、図１〜図５を用いて説明する。
【００２３】
なお、これらの図面のうち断面図は、構成を判り易くするために厚さ方向の寸法を拡大して表している。
【００２４】
また、背景技術の項で説明した構成と同一構成の部分には同一符号を付して、詳細な説明を簡略化する。
【００２５】
（実施の形態）
図１は本発明の一実施の形態によるリモコン送信機の断面図、図２は同分解斜視図であり、同図において、１は略箱状でポリスチレンやＡＢＳ等の絶縁樹脂製のケース、１２は静電タッチパネルで、ケース１上面の開口孔に静電タッチパネル１２が装着されている。
【００２６】
そして、この静電タッチパネル１２は、フィルム状のシートの上面または上下面に、略帯状または略方形の複数の導電部（図示せず）が、所定の間隙を空けて直交方向に配列されて形成されている。
【００２７】
また、３は絶縁樹脂製の上覆体、４は同じく下覆体で、この上覆体３と下覆体４の間に静電タッチパネル１２が収納されると共に、静電タッチパネル１２の複数の導電部の端部に接続された電極部（図示せず）が形成されたテール部１２Ａが、下覆体４の下面から右外方へ延出している。
【００２８】
さらに、５は紙フェノールやガラス入りエポキシ等の配線基板で、上下面には銅箔等によって複数の配線パターン（図示せず）が形成され、上面にはプッシュスイッチ等のスイッチ接点６が実装されて、スイッチ接点６上面から突出した押釦６Ａに下覆体４下面の突出部４Ａが当接すると共に、静電タッチパネル１２がテール部１２Ａやコネクタ１３等を介して、配線基板５の配線パターンに電気的に接続されている。
【００２９】
そして、７は下方に略ドーム状の薄肉部が形成されたゴムやエラストマー等の操作体で、上面が上ケース１上面の貫通孔から上下動可能に突出すると共に、下面には配線基板５上面に形成された複数の固定接点５Ａと、所定の間隙を空けて対向する可動接点７Ａが設けられている。
【００３０】
また、配線基板５の上下面には、発光ダイオード等のリモコン信号を送信する送信手段８や、配線パターンを介して送信手段８や静電タッチパネル１２、スイッチ接点６、複数の固定接点５Ａに接続されたマイコン等の制御手段１５が形成されると共に、ケース１下面を絶縁樹脂製のカバー１０が覆って、リモコン送信機が構成されている。
【００３１】
以上の構成において、リモコン送信機を操作する電子機器に向けて、指で所定の操作体７の上面を押圧操作すると、略ドーム状の薄肉部が弾性変形して操作体７が下方へ移動し、この下面の可動接点７Ａが複数の固定接点５Ａに接触して、可動接点７Ａを介して複数の固定接点５Ａの電気的接離が行われ、この電気的接離に応じて制御手段１５が、送信手段８から赤外線のリモコン信号を電子機器へ送信し、例えば、テレビの電源の入／切や選局の切換え等が遠隔操作によって行われる。
【００３２】
また、図５の正面図に示すように、遠隔操作する電子機器３０の表示画面３１に、例えば、遠隔操作する機器のメニュー等が表示された状態で、上覆体３上面に指を触れ、指をなぞるように前後左右に移動して接触操作すると、この指に静電タッチパネル１２の電荷の一部が導電し、操作した箇所の導電部の容量が変化するため、これによって静電タッチパネル１２のどの箇所が接触操作されたかを制御手段１５が検出する。
【００３３】
そして、この指の移動に応じたリモコン信号を、制御手段１５が送信手段８から機器へ送信し、例えば、表示画面３１に表示されたポインタ３２等が、指の移動した上下方向や左右方向へ移動して、機器のメニュー等の選択が行われる。
【００３４】
さらに、ポインタ３２等が所望の機器のメニュー上に位置した状態で、上覆体３上面を押圧操作すると、静電タッチパネル１２や下覆体４が下方へ移動し、下覆体４下面の突出部４Ａがスイッチ接点６の押釦６Ａを押圧操作して、スイッチ接点６の電気的接離が行われ、これを制御手段１５が検出して送信手段８からリモコン信号を送信し、遠隔操作する機器の選択が行われる。
【００３５】
つまり、複数の操作体７の押圧操作によって、電源や選局といった機器の各機能の遠隔操作が行われると共に、静電タッチパネル２の接触操作と押圧操作によって、表示画面３１に表示された機器の選択や確定が行われる。
【００３６】
また、この後、上覆体３上面に指を触れ、指を直線または曲線状に前後左右に移動して、例えば、図３（ａ）の正面図に示すように、指を右下方向へ移動した後、続けて左下方向へ移動して略逆くの字状に接触操作すると、この略逆くの字状になぞった箇所の静電タッチパネル１２の容量が変化する。
【００３７】
そして、この静電タッチパネル１２の容量変化によって、静電タッチパネル１２が略逆くの字状の軌跡Ａ１で接触操作されたことを制御手段１５が検出すると共に、この軌跡Ａ１と予め記憶された複数の軌跡とを照合し、例えば、軌跡Ａ１の場合には再生用のリモコン信号を、制御手段１５が送信手段８から機器へ送信して、機器のビデオテープやディスク等の再生が行われる。
【００３８】
あるいは、図３（ｂ）に示すように、指を下方向へ移動した後、続けて右方向へ移動して、略逆Ｌ字状の軌跡Ａ２で静電タッチパネル１２を接触操作した場合には、この軌跡Ａ２を制御手段１５が検出し記憶した軌跡と照合して、一時停止用のリモコン信号を、送信手段８から機器へ送信する。
【００３９】
また、同様に、図３（ｃ）や図３（ｄ）に示すように、静電タッチパネル１２の中央部を左から右へ移動した軌跡Ａ３の場合には早送り用の、右上から左下へ移動した軌跡Ａ４の場合には停止用のリモコン信号を、制御手段１５が各々送信して、ビデオテープやディスク等の早送りや停止操作が行われる。
【００４０】
さらに、図４（ａ）の正面図に示すように、指を時計方向へ略リング状に続けて回転して接触操作した場合には、この略リング状の軌跡Ｂ１を制御手段１５が検出して記憶した軌跡と照合すると共に、回転した回数を検出し、例えば、音量増加用のリモコン信号を回転した回数分、繰返して機器へ送信する。
【００４１】
あるいは、図４（ｂ）に示すように、指を反時計方向へ略リング状に軌跡Ｂ２で、続けて回転して接触操作した場合には、制御手段１５が音量減少用のリモコン信号を回転した回数分、繰返して送信手段８から機器へ送信する。
【００４２】
つまり、静電タッチパネル１２を軌跡Ａ１やＡ２〜Ａ４のような直線状の軌跡、または軌跡Ｂ１やＢ２のような曲線状の軌跡で接触操作すると共に、制御手段１５がこの所定の軌跡を検出し、これらと予め記憶した複数の軌跡とを照合して、これらの接触操作に応じたリモコン信号を送信手段８から機器へ送信することによって、所定の軌跡の接触操作のみでビデオテープやディスク、機器等の様々な遠隔操作が行えるようになっている。
【００４３】
すなわち、静電タッチパネル１２を直線または曲線状の所定の軌跡で接触操作するだけで、制御手段１５がこれに応じたリモコン信号を送信して機器の遠隔操作が行えるため、押圧操作が不要となり、誤操作が生じづらくなると共に、接触操作のみの簡易な操作で、確実な遠隔操作が可能なように構成されている。
【００４４】
なお、以上の説明では、静電タッチパネル１２の直線または曲線状の接触操作に応じて、制御手段１５がこの接触操作の所定の軌跡を検出し、予め記憶した複数の軌跡と照合して、各操作用のリモコン信号を送信する構成として説明したが、リモコン送信機からは接触操作した軌跡をそのまま所定のリモコン信号として送信し、これを機器の受信機側で記憶した複数の軌跡と照合して、機器の各操作を行うように構成しても、本発明の実施は可能である。
【００４５】
また、静電タッチパネル１２に直線または曲線状の接触操作が行われている間は、他の操作が行われても、制御手段１５がこれを無視、あるいは機器の受信機側がこれを無視するようにすれば、誤って静電タッチパネル１２や操作体７が操作された場合でも、機器の誤操作を防ぐように構成することができる。
【００４６】
つまり、例えば、人差し指で軌跡Ａ１やＢ１を接触操作している際に、誤って中指が静電タッチパネル１２の他の箇所に触れた場合等には、制御手段１５がこれを無視し、この分のリモコン信号は送信しない、あるいは機器の受信機側がこれを無視し、所定の軌跡のみの操作を行うことによって、機器の誤操作を防止し、さらに操作を行い易いものとすることができる。
【００４７】
このように本実施の形態によれば、制御手段１５が静電タッチパネル１２の直線または曲線状の接触操作に応じて、送信手段８からリモコン信号を送信することによって、押圧操作が不要となり、静電タッチパネル１２を所定の軌跡で接触操作するだけで機器の遠隔操作が行えるため、誤操作が生じづらく、簡易で確実な操作が可能なリモコン送信機を得ることができるものである。
【００４８】
なお、以上の説明では、配線基板５上面にプッシュスイッチを実装してスイッチ接点６を形成した構成について説明したが、配線基板５上面に複数の固定接点を設け、この上方に操作体７と同様に下面の可動接点を対向させるように形成した構成や、あるいは、配線基板５上面の固定接点上に、略ドーム状で導電金属薄板製の可動接点を載置したもの等、様々なスイッチ接点を用いた構成においても、本発明の実施は可能である。
【００４９】
また、以上の説明では、発光ダイオード等によって送信手段８を形成し、送信手段８から赤外線のリモコン信号を電子機器へ送信する構成について説明したが、送信手段をアンテナ等によって形成し、電波のリモコン信号を送信する構成としてもよい。
【産業上の利用可能性】
【００５０】
本発明によるリモコン送信機は、誤操作がなく、簡易で確実な操作が可能なものが得られ、主に各種電子機器の操作用として有用である。
【図面の簡単な説明】
【００５１】
【図１】本発明の一実施の形態によるリモコン送信機の断面図
【図２】同分解斜視図
【図３】同静電タッチパネルの正面図
【図４】同静電タッチパネルの正面図
【図５】電子機器の正面図
【図６】同電子機器の正面図
【図７】従来のリモコン送信機の断面図
【図８】同斜視図
【符号の説明】
【００５２】
１  ケース
３  上覆体
４  下覆体
４Ａ  突出部
５  配線基板
５Ａ  固定接点
６  スイッチ接点
６Ａ  押釦
７  操作体
７Ａ  可動接点
８  送信手段
１０  カバー
１２  静電タッチパネル
１２Ａ  テール部
１３  コネクタ
１５  制御手段
３０  電子機器
３１  表示画面
３２  ポインタ
【図１】
2009218985.tif 000003
【図２】
2009218985.tif 000004
【図３】
2009218985.tif 000005
【図４】
2009218985.tif 000006
【図５】
2009218985.tif 000007
【図６】
2009218985.tif 000008
【図７】
2009218985.tif 000009
【図８】
2009218985.tif 000010